(57)【要約】  雌ねじと、少なくとも２つのパーツ（３０１）とを有するナット（３００）に係る発明であって、これらのパーツ（３０１）の各々は、前記雌ねじのセクション（３０２）を有し、このセクションは径方向に雄ねじ（５０）へ押し当て可能であり、前記パーツ（３０１）は、互いに協働する複数の結合要素を有し、これらの結合要素は、使用状態まで前記雌ねじの軸に対し径方向に延びている方向での前記パーツ（３０１）の相対移動を可能にし、この使用状態では、前記ナット（３００）の前記雌ねじが、前記雄ねじ（５０）を僅かな遊びで包み込み、前記複数の結合要素は複数の案内面を有し、これらの案内面は前記雌ねじの軸に対し径方向に延びている面に対し或る角度だけ傾斜しており、前記使用状態への移動のときにおける前記雌ねじの軸に対し横方向に延びている回転軸を中心とした回転運動中に、前記ナット（３００）の前記パーツ（３０１）を案内してなる。発明の課題は容易に製造できかつ操作できるナットを製造することである。少なくとも１つのパーツ（３０１）は、少なくとも１つのロッキング・アームを有し、このロッキング・アームは一側にのみ案内面を有し、回転運動により前記複数のパーツの移動を引き起こしたときに、この案内面は他方のパーツの補完的な案内面に接触することによって解決する。【選択図】      図２０
2009526182.tif 000002
【特許請求の範囲】
【請求項１】
雌ねじと、少なくとも２つのパーツ（１０１，１０２；２０１，２０２；３０１，４０１，５０１，７０１，７０２）とを有するナット（１００，２００，３００，４００，５００，７００）であって、これらのパーツ（１０１，１０２；２０１，２０２；３０１，４０１，５０１，７０１，７０２）の各々は、前記雌ねじのセクション（１０３，１０４，２０３，２０４，３０２，４０２，５０２）を有し、このセクションは径方向に雄ねじ（５０）へ押し当て可能であり、前記パーツ（１０１，１０２；２０１，２０２；３０１，４０１，５０１，７０１，７０２）は、互いに協働する複数の結合要素を有し、これらの結合要素は、前記雌ねじの軸に対し径方向に延びている方向での、使用状態までの、前記パーツ（１０１，１０２；２０１，２０２；３０１，４０１，５０１，７０１，７０２）の相対移動を可能にし、この使用状態では、前記ナット（１００，２００，３００，４００，５００，７００）の前記雌ねじが、前記雄ねじ（５０）を僅かな遊びで包み込み、
前記複数の結合要素は、複数の案内面を有し、これらの案内面は、前記雌ねじの軸に対し径方向に延びている面に対し或る角度だけ傾斜しており、前記使用状態への移動のときにおける前記雌ねじの軸に対し横方向に延びている回転軸を中心とした回転運動中に、前記ナット（１００，２００，３００，４００，５００，７００）の前記パーツ（１０１，１０２；２０１，２０２；３０１，４０１，５０１，７０１，７０２）を案内してなるナットにおいて、
少なくとも１つのパーツ（１０１，１０２；２０１，２０２；３０１，４０１，５０１，７０１，７０２）は、少なくとも１つのロッキング・アームを有し、このロッキング・アームは一側にのみ案内面を有し、回転運動により前記複数のパーツの移動を引き起こしたときに、この案内面は、他方のパーツの補完的な案内面（１１７，１１８，１１９，１２０，１２５，１２６，１３１，１３２，２０９，２１０，２１１，２１２，３０３，３０４，４０４，５０３，７０３，７０５）に接触していることを特徴とするナット。
【請求項２】
前記２つのパーツ（２０１，２０２；３０１，４０１，５０１）の前記雌ねじセクション（２０３，２０４，３０２，４０２，５０２）は、前記ねじの軸の方向に延びている分割面に沿って分割され、
前記ナット（２００，３００，４００，５００）の各々のパーツ（２０１，２０２；３０１，４０１，５０１）は、２つの案内面（２０９，２１０；２１１，２１２；３０３，３０４；４０３，４０４；５０３，５０４）を有し、
これらの案内面は、前記分割面に対し直角に延びている中央面の両側に設けられており、前記２つの案内面（２０９，２１０；２１１，２１２；３０３，３０４；４０３，４０４；５０３，５０４）は、前記ねじの軸に関して逆方向に向けられていることを特徴とする請求項１に記載のナット（２００，３００，４００，５００）。
【請求項３】
前記２つのパーツ（１０１，１０２）の前記雌ねじセクション（１０３，１０４）は、前記ねじの軸の方向に延びている分割面に沿って分割され、
前記ナット（１００）の各々のパーツ（１０１，１０２）は、前記分割面の両側で、２つの案内面（１１７，１１８，１３１，１３２；１１９，１２０，１２５，１２６）を有し、
これらの案内面は、前記分割面（１１７，１１８，１３１，１３２；１１９，１２０，１２５，１２６）の両側で、前記ねじの軸に関して逆方向に向けられており、前記ねじの径方向面に対し逆方向に傾斜されていることを特徴とする請求項１に記載のナット（１００）。
【請求項４】
前記複数の案内面（２０９，２１０，２１１，２１２）は、湾曲していることを特徴とする前記すべての請求項のいずれか１に記載のナット（２００）。
【請求項５】
前記複数の案内面（２０９，２１０，２１１，２１２）は、シリンダジャケットセクションの形状を有することを特徴とする請求項４に記載のナット（２００）。
【請求項６】
前記雌ねじの軸は、シリンダの半径に一致しており、このシリンダのジャケット面には、前記複数の案内面（２０９，２１０，２１１，２１２）が延びていることを特徴とする請求項５に記載のナット（２００）。
【請求項７】
前記複数の案内面（４０３，４０４）は、螺旋面に沿って延びていることを特徴とする請求項２または２に記載のナット（４００）。
【請求項８】
前記複数の案内面（４０３，４０４）の前記螺旋面は、前記ナットの複数のねじセクションの分割面に対し直角にかつ前記雌ねじの軸に対し径方向に延びている軸を中心として湾曲していることを特徴とする請求項７に記載のナット（４００）。
【請求項９】
前記複数のパーツ（１０１，１０２；２０１，２０２；３０１，４０１，５０１）は、弾性変形可能な材料から製造されていることを特徴とする前記すべての請求項のいずれか１に記載のナット（１００，２００，３００，４００，５００）。
【請求項１０】
前記複数のパーツ（１０１，１０２；２０１，２０２）は、複数の向かい合っている追加の案内面（１３３−１３６，１３７−１４０；２１３−２１６）を有し、これらの案内面は、前記雌ねじの軸に対し平行に延びている面に位置していることを特徴とする前記すべての請求項のいずれか１に記載のナット（１００，２００）。
【請求項１１】
前記雌ねじの軸に対し平行に延びている面に位置している前記複数の案内面（１３３−１３６，１３７−１４０；２１３−２１６）は、前記複数のパーツ（１０１，１０２；２０１，２０２）が相対移動されることが可能な径方向に対し平行に延びていることを特徴とする請求項１０に記載のナット（１００，２００）。
【請求項１２】
使用状態での前記複数のパーツ（１０１，１０２；２０１，２０２；３０１，４０１，５０１）は、共通の接触面（１４１，１４２，２１７，２１８）を有し、前記接触面は、前記ナットの、雄ねじへの固い締付の際に、前記雄ねじと結合される支持面（２２１）に接触していることを特徴とする前記すべての請求項のいずれか１に記載のナット（１００，２００，３００，４００，５００）。
【請求項１３】
各々のパーツ（２０１，２０２）の前記接触面（２１７，２１８）は、或る縁部に斜面（２１９，２２０）を有し、前記斜面は、前記接触面（２１７，２１８）に対し、使用状態において前記パーツ（２０１，２０２）を設ける際の回転角度に対応する角度を有することを特徴とする請求項１２に記載のナット（２００）。
【請求項１４】
使用状態での前記複数のパーツは、夫々、少なくとも１つの接触点を有し、この接触点は、前記ナットの、雄ねじへの固い締付の際に、前記雄ねじと結合される支持面に支持されることを特徴とする請求項１ないし１１のいずれか１に記載のナット。
【請求項１５】
前記接触点は、任意の或るパーツの縁部領域に少なくとも２つの他の点をもって斜面を規定し、この斜面は、前記支持面に対し、使用状態での前記パーツを設ける際の回転角度に対応する角度を有することを特徴とする請求項１４に記載のナット。
【請求項１６】
複数のパーツのうちの少なくも１つのパーツの前記雌ねじセクション（３０２）の少なくとも１つの端部領域（３１６）に、複数のねじ溝が、除去されていることを特徴とする前記すべての請求項のいずれか１に記載のナット。
【請求項１７】
２つの同一のパーツ（３０１，４０１，５０１）を有することを特徴とする前記すべての請求項のいずれか１に記載のナット（３００，４００，５００）。
【請求項１８】
前記使用状態における前記同一のパーツ（３０１，４０１，５０１）が、以下の複数の軸のうちの１を中心として、すなわち、
前記雌ねじの軸を中心として、
前記雌ねじに対し径方向におよび前記雌ねじセクションの前記分割面に延びている軸を中心として、
１８０°相対回転されていることを特徴とする前記すべての請求項のいずれか１に記載のナット（３００，４００，５００）。
【請求項１９】
前記複数のパーツ（１０１，１０２；２０１，２０２；３０１，４０１，５０１）の各々は、圧縮成形工程で製造されていることを特徴とする前記すべての請求項のいずれか１に記載のナット（１００，２００，３００，４００，５００）。
【請求項２０】
前記複数のパーツ（７０１，７０２）は、複数の互いに協働する保持要素（７０４，７０６）を有し、
これらの保持要素は、前記複数のパーツ（７０１，７０２）を少なくとも部分的に嵌め込んだ状態で、互いに接して取り付けるようにしたことを特徴とする前記すべての請求項のいずれか１に記載のナット（７００）。
【請求項２１】
前記複数の保持要素は、以下の協働する装置の少なくとも１、すなわち、
複数の互いに引き合う磁石と、
１つの磁石および強磁性の材料と、
複数の係止用突起部およびこれらの係止用突起部を受け入れる複数の係止用リセスと、
高い摩擦および付着性を有する付着面と
を有することを特徴とする請求項２０に記載のナット。
【請求項２２】
前記雌ねじ（６０２）の一端の領域に、前記雌ねじ（６０２）の軸へ延びている肩部（６０４）が設けられていることを特徴とする前記すべての請求項のいずれか１に記載のナット。
【請求項２３】
前記肩部（６０４）は、前記雌ねじ（６０２）に続く溝部（６０３）の壁部であることを特徴とする請求項２２に記載のナット。
【請求項２４】
請求項１ないし２１のいずれか１に記載のナットを取り付けるためのツールであって、
前記ツールは、前記ナットの前記パーツのために夫々取り付け具を有し、前記取り付け具は、前記取り付け具が、相対的に、および前記雌ねじの軸に対し径方向に延びている方向に移動運動を行なうように、駆動手段によって、互いに連結され、
前記複数の取り付け具は、少なくとも最後の運動段階で、前記雌ねじの軸に対し横方向に延びている回転軸を中心として回転を行ない、そのあと、前記ナットの前記複数のパーツが使用状態に達することを特徴とするツール。
【発明の詳細な説明】
【技術分野】
【０００１】
本発明は、請求項１の前提部分に記載の、雌ねじおよび少なくとも２つのパーツを有するナットに関する。
【背景技術】
【０００２】
ナットとは、通常、閉じられた雌ねじを示す。それ故に、ナットは、雄ねじの端部に螺着可能である。雄ねじは、例えば、ねじ付きボルトによって、ねじのシャフトによって、ねじ付きスピンドルによって、または、ねじ付きロッドによって形成される。幾つかの場合に、ナットを自由端から雄ねじへ螺着することは難しいか、不可能である。この理由から、長い間、径方向に雄ねじへ押し嵌められる複数のパーツを有するナットが提案される。
【０００３】
例えば、既に１９２１年に、米国特許第1,375,781号明細書には、半分の雌ねじを有する一体型のナットを径方向にねじ付きボルトへ押し嵌めることが提案された。類似の一体型のナットが、ドイツ特許公報DE 39 22 957 C1号明細書から公知である。更に、類似のナットがドイツ実用新案DE 71 46 313号明細書から読み取れる。ここでは、ねじセクションの開口部が、雄ねじの直径よりも幾らか小さい。それ故に、ナットは、雄ねじへの押し嵌めの際に、一定程度弾性的に曲げ広がる。
【０００４】
二体型のナットは、例えば、米国特許第4,556,352号明細書から公知である。ナットの２つのパーツは、複数の互いに協働する係止用突起部を示す。これらの係止用突起部は、ナットの複数のパーツを使用状態に取り付ける。使用状態では、雌ねじが僅かな遊びで雄ねじを取り囲む。更に、ナットの複数のパーツを形状によって互いに結合するロッキングピンが提案されている。このナットの製造およびナットの操作、特にロッキングピンの取付もコストがかかる。
【０００５】
米国特許第6,821,070 B1号明細書では、雌ねじの各々の半体を有する２つの互いに回動可能なパーツを有するナットが記載されている。回動は、雌ねじの軸に対し平行に延びている回動軸を中心としてなされる。この軸を中心として回動可能な第３のパーツが設けられており、このパーツは、更に、雌ねじの軸の方向に移動可能である。この移動の際に、このパーツは、第１のパーツの保持用突起部を後方から掴む。それ故に、回動運動が阻止される。このことによって、雌ねじセクションを有する第２のパーツが、使用状態に固定される。この構造体も、製造および操作の点で、極めてコストがかかる。
【０００６】
米国特許第4,462,731号明細書は、複数の雌ねじセクションを有する２つのパーツからなるナットを記載している。これらのパーツには、硬いシェルが嵌められる。その目的は、これらのパーツ同士を固定するためである。シェルは、同様に、２つのシェルパーツからなる。これらのシェルパーツは、複数の雌ねじセクションを有する複数のパーツのリセスと協働する。その目的は、形状による結合を達成するためである。この装置も、製造の点でコストがかかり、操作の点で複雑である。
【０００７】
米国特許第4,826,376号明細書は、複数のパーツが、雌ねじの軸に対し径方向に延びている面で分割されていてなる二体型のナットを記載している。これらのパーツは、更に、相対的に回転可能である。第１の回転位置では、これらのパーツの雌ねじセクションに続いている複数の開口部が互いに整列している。複数のパーツの雌ねじセクションは、直接に重なり合っている。この位置では、複数のパーツは、雄ねじに押し嵌められることが可能である。続いて、複数のパーツは１８０°相対的に回転されることができる。それ故に、今や、複数の雌ねじセクションと、２つのパーツの、該雌ねじセクションに続く各々の開口部が向かい合っている。このとき、雄ねじは、両側によって、２つの異なった面で囲まれる。この装置も、製造の点でコストがかかる。
【０００８】
米国特許第4,078,470号明細書からは、分割されたナットが公知である。このナットは、垂直面に沿って、２つの補い合う半体に分割されており、複数のナットパーツの高さのほぼ真ん中に中間面が設けられている。中間面は、平らな面に沿って、水平線に対し鋭角で延びている。その目的は、直接的な水平方向の分離を防止するロックを形成するためである。複数のナットパーツは、互いの分離のために、中間面の面に対し平行な方向にのみ移動されることが可能である。しかしながら、ここでは、複数のナットパーツの固い締付の際に、ねじのフランクのピッチによって、ねじに対し径方向に作用する分力が生じるという問題がある。この分力は、２つのナットパーツを径方向に互いから押し離す。これらのナットパーツの径方向の運動は完全に回避されるのではなく、中間面の面に沿った斜めに延びている運動に転向されるだけである。雄ねじによって発生される径方向外側に作用する力が、中間面の傾斜により生じる抵抗を凌ぐ、という危険がある。この理由から、米国特許第4,078,470号明細書では、複数のナットパーツが径方向に互いに離れることを回避するために、保護要素、例えば、保護リングまたは保護スプリントを用いることが提案される。この装置は、複数のナットパーツが緩むことがあるので、確実性がないか、あるいは、追加の保護要素の製造によってコストがかかり、操作の点で複雑である。
【０００９】
米国特許第2,257,327号明細書は、ねじの各側にまたはねじの上方に延びているねじピン（ヒンジピン１１）を中心として回動可能に互いに関節結合されている複数のナットパーツからなるナットを記載している。ねじピンは、これらのナットパーツの可動性を制限し、複数のナットパーツが互いから完全に緩むことを阻止する。
【００１０】
ドイツ国特許出願公開第1 144 542号明細書は、請求項１の前提部分の特徴を有するナットを記載している。２つのナットパーツは、ねじの軸の方向に延びている分割面で分割されている。少なくとも１つのパーツが、少なくとも１つの突出部を有する。この突出部は、他方のナットパーツのリセスに挿入可能である。これらのナットパーツの突出部および対応のリセスは、円弧状に形成されている。それ故に、ナットパーツが、雌ねじの軸に対し横方向に延びている回転軸を中心とした回転運動中に、案内されるのは、円形の突出部が円形のリセスに押し込まれるときである。これらのナットパーツは、製造するのが難しい。何故ならば、複数のリセスおよび突出部が多くのアンダーカットを有するからである。更に、ナットパーツは操作し難い。何故ならば、これらのリセスおよび突出部が、嵌め込みのために互いに正確に整列されねばならないからである。最後に、複数の突出部と、複数のリセスの、該突出部と協働する壁部とは、非常に少ない厚みしかなく、従って、低い剛性を有する。
【特許文献１】米国特許第1,375,781号明細書
【特許文献２】ドイツ特許公報DE 39 22 957 C1号明細書
【特許文献３】ドイツ実用新案DE 71 46 313号明細書
【特許文献４】米国特許第4,556,352号明細書
【特許文献５】米国特許第6,821,070 B1号明細書
【特許文献６】米国特許第4,462,731号明細書
【特許文献７】米国特許第4,826,376号明細書
【特許文献８】米国特許第4,078,470号明細書
【特許文献９】米国特許第2,257,327号明細書
【特許文献１０】ドイツ国特許出願公開第1 144 542号明細書
【発明の開示】
【００１１】
本発明の課題は、明細書の最初の部分に記載のタイプの、容易に製造できかつ操作できるナットを製造することである。
【００１２】
上記課題は、請求項１の前提部分のナットにおいて、本発明により、請求項１の特徴部分の特徴によって解決される。他の好都合な実施の形態は、従属請求項から生じる。
【００１３】
換言すれば、ナットの複数のパーツには、複数の案内面を有しかつ複数の互いに協働する結合要素が設けられている。複数のパーツが使用状態で協働し、その結果、これらの結合要素は、これらのパーツの、使用状態からのおよび雄ねじからの径方向の移動が、阻止されている。阻止する使用状態に達するために、ナットの複数のパーツが径方向に移動されるのみならず、雌ねじの軸に対し横方向に延びている回転軸を中心として回転または回動される。この回転運動は、ねじ結合が緩められているときにのみ、可能である。ねじ結合が締め付けられているときは、ナットは、１つの接触面でまたは複数の接触点で、向かい合っている支持面に支持される。この支持面は、軸方向に移動不可能なように雄ねじと結合されている。少なくとも１つのナットパーツは、少なくとも１つのロッキング・アームを有する。ロッキング・アームは、ねじの軸に関して反対方向に向けられている２つの面を有する。これらの面は、上面および下面とも呼ぶことができる。但し、ねじの軸が上方から下方へ延びていることが前提となる場合である。ロッキング・アームのこれらの２つの面のうちの１のみが、回転運動を引き起こす案内面を有する。この案内面は、他方のパーツの、補完的な、逆方向に向いた案内面に接触している。ロッキング・アームの他方の面は、実際に、ナットパーツの外面（上面または下面）を形成し、支持面への接触として用いられることが可能である。この支持面へナットが螺着される。
【００１４】
第１のナットパーツに案内面を有するロッキング・アームと、第２のナットパーツの、このロッキング・アームの案内面と協働する材料セクションとは、材料の大きな厚みを有することができる。このような材料セクションの材料の厚みが、夫々、ナットの全厚の半分に対応することも可能である。このことによって、このような材料セクションに従ってまたナット全体の高い安定性および負荷能力が得られる。更に、ロッキング・アームの案内面およびこの案内面と協働する案内面は、ナットの全長に亘って延びていることが可能である。このことによって、大きな支持面に従ってまた高い負荷能力が生じる。
【００１５】
通常はナットの下面によって形成されるナットの接触面が螺着された状態では、支持面へ押圧されるとき、複数のナットパーツの回動が阻止される。ナットは、ねじ取外しによってのみ、ねじの雄ねじまたはねじ付きロッドから外される。これに対し、ナットが、ねじ取外し後に、数回転分、支持面から一定の間隔を有するとき、複数のナットパーツの回転または回動が可能である。これらのナットパーツは、続いて、ねじの径方向に互いから離されることが可能である。
【００１６】
雌ねじの軸に対し横方向に延びている回転軸が、雌ねじの軸に対し直角に延びている必要がないことを指摘しておく。回転軸は、雌ねじの軸に対し斜めにまたは傾いて延びていることも可能である。しかし、実際には、回転軸は、通常、雌ねじの軸に対しほぼ径方向に位置している。
【００１７】
換言すれば、ナットの接触面が、向かい合う支持面から１つのまたは複数のねじ溝分、間隔をあけているのは、ナットが、雄ねじへ押し嵌められかつ回動された後である。ねじ溝の数に対応する回転数だけナットを螺着することによって、ナットの接触面は、向かい合う支持面へ押圧される。このことによって、ナットの複数のパーツの新たな回動および複数のパーツの互いからの取外しが阻止される。複数のナットパーツの組合せは、複数のナットパーツの回転運動を引き起こす案内面が、ロッキング・アームの１つの面のみに設けられていることによって容易化される。ロッキング・アームの、向かい合う面、すなわち、ロッキング・アームの、ねじの軸に関して案内面に対して逆方向に向いた面が、ナットの上面または下面に、ナットの外面を形成し、固い締付の際に、支持面に対し接触していることが可能である。ロッキング・アームの１つの面のみが、回転運動を得るために、向かい合う支持面と協働するとき、ロッキング・アームの厚みは重大ではなく、所定の製造公差を維持する必要はない。
【００１８】
従って、複数のパーツの、雄ねじへの取り付けの際の、雌ねじの軸に対し横方向の軸を中心とした回動運動または回転運動は、複数のナットパーツが固く締め付けられるとき、逆方向の運動が阻止されることを保証する。このことによって、複数のパーツから形成されたナットは、外れることなく雄ねじに取り付けられている。
【００１９】
このようなナットが２つのパーツを有することは好ましい。ナットは、従来のナットに比較して、操作上のかなりの利点を有する。例えば、ナットの螺着によって雄ねじの全長を乗り越える必要がない。ナットを、取付の際に、ナットの使用状態へ径方向に押し嵌めてかつ回動し、続いて、僅かの回転分だけ、固く締め付けるだけでよい。ナットの２つのパーツも、部分的に嵌め込まれた位置で取り付けられることが可能である。この位置で、これらのパーツは、雄ねじの表面に沿って所望の位置まで押し込まれる。ここではじめて、複数のパーツが、使用状態へ互いに向かって押され、続いて、雄ねじとしっかり螺着される。
【００２０】
更に、本発明に係わるナットを、自由端を有しない雄ねじに取り付けることも可能である。例えば、ナットをねじセクションに取り付けることができる。このねじセクションは、両側で、ねじを有しない、ねじセクションより太いロッドセクションによって、区画されている。従って、本発明に係わるナットは、容易な操作および安価な製造の際に、並外れた結合方法を可能にする。
【００２１】
実際には、複数のパーツの結合要素が、複数の互いに接触しておりかつ回転を引き起こす案内面を有する。これらの案内面は、雌ねじの軸に対し径方向に延びている面に対し、或る角度だけ傾斜している。雌ねじの径方向面に対する複数の案内面のこの角度は、ナットの複数のパーツが径方向に互いに向かって容易に移動されず、実質的に雌ねじの径方向面にある軸を中心として回動されねばならないことを引き起こす。
【００２２】
複数の案内面が、実際に、雌ねじの径方向面に対し２０°よりも少ない角度だけ傾斜していることは好ましい。このことによって、複数のナットパーツの結合のために必要な回動運動は、大き過ぎず、複数のナットパーツの複数のねじセクションの輪郭の、雄ねじとの衝突が、回動運動中に回避される。より大きな傾斜が望ましいのであれば、複数のねじセクションの、衝突するような輪郭は、除去されねばならないだろう。しかし、案内面は、径方向面に対する可変の傾斜を有し、例えば、シリンダ状に湾曲しておりまたは螺旋状にうねっていてもよいだろう。
【００２３】
回動運動を得るために、複数の案内面は、種々の方法で設けられていることができる。２つのパーツの雌ねじセクションが、ねじの軸の方向に延びている分割面に沿って分離されていてなるナットの場合、ナットの各々のパーツは、２つの案内面を有する。これらの案内面は、分割面に対し直角に延びている中央面の両側に設けられている。複数の案内面が延びてなる方向を、縦方向と呼ぶとき、中央面は、中央の縦面であり、２つの案内面は、この中央面の両側に延びている。更に、１つのナットパーツの２つの案内面が、ねじの軸に対して逆方向に向けられていることが可能である。ねじの軸が上方から下方へ延びていることが仮定されるとき、１つのナットパーツの第１の案内面の法線が、上方を指しており、同じナットパーツの第２の案内面の法線が下方を指している。補完的なナットパーツは、対応して形成されている。複数の案内面の少なくとも１つの部分が、複数のロッキング・アームに設けられている。斜めの案内面のこのデザインは、案内面の延びが適切であるとき、回動運動をもたらす。例えば、複数の案内面は、中央面に位置している径方向軸を中心としてうねった螺旋面上にある。螺旋面は、２つのナットパーツの嵌め込みの際のねじの動きを事前設定する。２つの案内面は、分割面に位置しているシリンダ軸を有するシリンダジャケット面に位置していてもよい。この場合、複数のナットパーツが、嵌め込みの際に、シリンダ軸を中心として相対的に回動される。
【００２４】
この代わりに、ねじの軸の方向に延びている分割面に沿って分割されている複数の雌ねじセクションを形成する２つのパーツからなる１つのナットが、湾曲していないか螺旋でない平らな案内面を有することも可能である。回動運動を引き起こすために、ナットの各々のパーツは、分割面の両側に２つの案内面を有することができる。これらの案内面は、分割面の第１の側では、ねじの軸に対し、分割面の第２の側とは逆の方向に向いている。換言すれば、１つのナットパーツの複数の案内面は、分割面の第１の側で、上方を指しており、分割面の第２の側で下方を指している。更に、これらの案内面は、分割面の第１の側では、ねじの径方向面に対し、分割面の第２の側とは逆の方向に傾斜している。換言すれば、複数の案内面が位置していてなる複数の面は、ねじの軸上に位置している切妻壁を有する尖がり屋根のように延びている。かくして、複数のパーツを互いに押し込むことができる。複数のパーツの複数の雌ねじセクションの複数の軸が、僅かに相対回動されている。移動運動の最後の段階では、これらの部分が、使用状態へ、しかも、ねじの軸に対し径方向に延びておりかつ分割面に位置している回動軸を中心として、回動される。使用状態では、２つのパーツの複数の雌ねじセクションの複数の軸が実質的に重なり合っており、２つのセクションからなる雌ねじが、適度に、実質的に遊びなしに雄ねじを包み込んでいる。このとき、かくして形成されたナットが固く締め付けられてもよい。
【００２５】
既述のように、複数の案内面は、シリンダジャケットセクションの形状の曲面を有することが可能である。この場合、第１のナットパーツの案内面は、凸面状に形成されており、この案内面と協働する、第２のナットパーツの案内面は、同一のシリンダジャケット面に従って、凹面状に形成されている。かくして、前記シリンダジャケット面に沿った、かなり長い運動コースに亘る、２つのナットパーツの接近運動を、案内面によって案内することができる。
【００２６】
実際には、雌ねじの軸は、シリンダの半径と一致し、半径のジャケット面には複数の案内面が延びている。実際また、複数のナットパーツの分割面は、直径上にシリンダと交差する面の上に位置していてもよい。このとき、使用状態への移動の際の複数のナットパーツの回転がなされるのは、実質的に、シリンダジャケットの、複数のナットパーツの分割面に位置している軸を中心として、複数のシリンダジャケット状の案内面を相対して移動させることによってである。
【００２７】
同様に上で既述したように、他の実際の実施の形態では、複数の案内面は、螺旋状の面上に位置している。螺旋は、例えば、ナットの分割の面に直角におよび雌ねじの軸に対し径方向に延びており、かつほぼ雌ねじの真ん中でねじの軸と交差する軸の、その回りに延びている。この場合、複数のナットパーツが、組合せの際に、分割面に位置している軸を中心と回転されず、却って、ナットの分割面に対し垂直に延びている軸を中心として、螺旋運動に従って回転される。
【００２８】
実際には、ナットの材料、通常は、鋼、しかし、適用に応じてプラスチックが、弾性的に変形可能である。複数のナットパーツの２つの向かい合っている案内面の形状は、互いに僅かに異なっていてもよい。これらの面は、僅かに異なって湾曲しているか、互いに傾斜していてもよい。２つの特徴は、複数のナットの固い締付による、雌ねじの軸の方向に作用する圧力の増大の際に、複数の案内面が互いに接触しているようになるまで、複数のナットパーツの所定の変形がなされることをもたらす。この場合、複数のナットパーツの複数の案内面は、ワッシャまたはスプリング・ワッシャの機能を引き受け、更に、動的な負荷変化による緩みに対してねじ結合を守る。同様のことが有効であるのは、複数のナットパーツの下面が、１つまたは複数の接触点で、下の支持面に載っている場合である。支持面は、雄ねじに対し軸方向に設けられた面である。ナットは、固い締付の際に、この面に支持される。この支持が、１つのナットパーツにつき、１つまたは２つの支持点によってなされるとき、固い締付の際に、複数のナットパーツを弾性的に少し変形および傾動させるトルクが発生される。ナットは、ワッシャの使用の際のように、弾性応力下にある。弾性応力は、ねじ結合への動的負荷の際に、ねじ結合が応力の故に自縛式に阻止されている。
【００２９】
更に、複数のナットパーツの複数の結合要素は、互いに向かって接触している複数の案内面を有する。これらの案内面は、雌ねじの軸に平行に延びている面に位置している。雌ねじの軸に平行に延びているこの面が、２つのナットパーツの径方向の相対的な移動の方向を規定することは好ましい。これらの追加の案内面は、かくて、ねじの径方向における複数のナットパーツの案内を引き起こすのであって、回転運動を引き起こすのではない。更に、追加の案内面は、軸方向の面（垂直面とも呼ぶ）で、ナットの移動のための、使用状態で作用する複数の停止手段を形成する。これらの追加の案内面は、前述のように、使用状態に達するための複数のナットパーツの回動を引き起こさず、従って、複数のナットパーツ同士のロックの際には、協働しない。
【００３０】
既述のように、使用状態に達するために複数のナットパーツの回動を必要とする複数の結合要素は、ナットの接触面が、雄ねじと結合される支持面に接触していることによって、固い締付の際に、ナットのこの回動を妨げる。この場合、ナットの接触面が全面に亘って形成されていなくてもよい。ナットの各々のパーツが、通常は１つの、好ましくは２つのまたは３つの接触点を有することで、十分である。これらの接触点は、固い締付の際に、軸方向に雄ねじとしっかり結合された支持面に接触している。しかし、通常は、ナットは、接触面を介して支持面に接触しているだろう。この接触面の少なくとも１つのセクションは、回転を引き起こす案内面に向かい合っているロッキング・アームの、その面によって形成されていてもよい。
【００３１】
ナットの各々のパーツの接触面は、任意の或る縁部に、ナットパーツの回動運動の角度を定める斜面を有する。この目的のために、斜面は、接触面に対し、この部分が使用状態へ移動するときに、対応のナットパーツの回転角度に対応する角度を有する。換言すれば、２つのナットパーツが、該ナットパーツの縁部への圧力によって、組立位置から使用状態への回動角度に対応する角度だけ回動されてもよい。回動されたこの状態では、複数のナットパーツを、支持面を介して、僅かに押し込むことも可能である。移動の最後の段階で、複数のナットパーツは、使用状態へ回動され、続いて固く締め付けられる。これらのナットパーツは、ナットの接触面の、支持面との接触に基づいてロックされる。
【００３２】
これに類似して、ナットは、点状の接触を有するように形成されていてもよい。ナットパーツの接触点が、ナットパーツの縁部領域に少なくとも２つの他の点と共に、斜面を定めるほうがよい。この斜面の角度は、組立中にこのパーツが回転するときに中心となる回転角度に対応する。同様に、縁部領域への押圧によってナットパーツが組立位置へ回動されてもよい。この位置では、ナットパーツは、一定程度だけ、補完的なナットパーツへ押し込まれることもできる。続いて、手動による回動運動がなされる。２つのナットパーツの複数のねじセクションは、雄ねじの周りに据えられ、使用状態に達する。
【００３３】
実際には、複数のパーツのうちの少なくとも１つのパーツの雄ねじセクションの少なくとも１つの端部領域で、複数のねじ溝を除去することができる。その目的は、使用状態への回動運動の際に、複数のパーツの回転を可能にするためである。複数のナットパーツの相対運動の選択されたコースに従って、ねじ溝の除去は、閉じ運動の妨げを阻止する。この場合、複数の雌ねじセクションは、回動運動中に、僅かに雄ねじへ当接することができる。それ故に、使用状態への閉じ運動の際に、複数のナットパーツの弾性変形が必要である。このことによって、複数のナットパーツは、雄ねじの回りでスナップフィットし、力の供給の増大によってのみ、同様に、雄ねじから取り外されることができる。力の供給は、前記弾性変形を引き起こす。
【００３４】
本発明に係わるナットは、当然ながら、セルフタッピンねじを有することも可能である。この場合、ねじの領域における除去を、ねじがねじカッタのように雄ねじのねじ溝を切るように選択することができる。かくして、ナットを、ねじのない可撓性の材料に、例えばプラスチックロッド、またはプラスチックで被覆されたケーブルに、例えば電気ケーブルの場合の引っ張りの解除手段として用いることができることは一層よい。
【００３５】
ナットの特別な実施の形態によって、ナットの２つのパーツが同一であってもよい。このことが、例えば２条ねじの場合に、容易に可能であるのは、これらのパーツが、ねじの軸に関して、または分割面におよびねじの軸に対し径方向に延びている対称軸に関して回転対称的であり、すなわち１８０°の回転の際に互いに同一であるときである。通常の１条ねじの場合、複数の同一のナットパーツが、分割面に位置しておりかつねじの軸に対し径方向に延びている対称軸に関して回転対称であってもよい。この場合、これらのナットパーツが、上方に向いた斜面および下方に向いた斜面を有することは好ましい。これらの斜面は、分割面に直角に延びている２つのロッキング・アームに設けられている。これらのロッキング・アームは、結合要素として作用する。これらの斜面は、結合の際に、補完的なパーツの、複数の向かい合っている斜面に接触する。複数のパーツは、結合の際に、互いに向かって移動され、かつ互いの中へ螺旋状に回転される。
【００３６】
２つの同一のパーツからなるナットは、このナットが多くの個数で安価に製造できるという利点を有する。特に、ナットの各々のパーツが、圧縮成形過程で製造されてもよい。更に、使用者が、複数の任意のナットパーツを互いに結合することができ、２つの適合しあうナットパーツを探し出す必要がない。
【００３７】
１条の雌ねじを有するナットであって、外的対称的な形状を有してもよいが、しかしナットのねじ溝は非対称的である場合におよび複数のパーツが非対称的である場合に、使用者がこれらのパーツを誤って組み立てようとする危険性がある。更に、組立の際に誤りを阻止するためには、これらのパーツの上面および下面に、例えば、切り欠きまたは他のマークによって、マークをつけもよい。しかしながら、誤った組合せを、複数の結合要素の適切な造形によって阻止することができるのは、外的対称が、１つの軸に関してのみ存在し、第２の軸に関しては、複数の案内面の異なったデザインによって補われていることによってである。この場合に、これらのパーツが誤って組み合わされることはない。
【００３８】
更に、ナットの複数のパーツは、複数の互いに協働する保持要素を有することが可能である。保持要素は、これらのパーツを、使用状態でまたは使用状態の手前で、すなわち、少なくとも部分的に嵌め込まれた位置で、互いに接し合うように取り付ける。このような保持要素なしには、ナットを雄ねじへ螺着する際に、接触面が支持面へしっかり押圧されない限り、これらのパーツが意図なしに互いに外れる危険性がある。
【００３９】
複数の保持要素を、例えば、複数の互いに引き合う磁石または１つの磁石および１つの強磁性の材料セクションによって、形成することができる。しかしながら、形状によって互いに把持する保持要素、例えば、係止突起部およびこれに補完的な係止用リセスが可能である。これらの保持要素は、ナットの複数のパーツを使用状態でロックすることを保証する。しかし、複数のナットパーツを雄ねじにまたは互いに接し合って取り付けることは、他の適切な措置によって、特に、複数の結合要素（複数のアンダーカット、複数のナットの変形、雄ねじにおけるおよび互いに接し合っての摩擦／応力）によって達成される。
【００４０】
本発明に係わるナットを以下のように用いることができる。複数のナットパーツを径方向に嵌め込むときに、複数のパーツの移動のほかに、少なくとも最後の運動で、使用状態の直前で、雌ねじの軸に対し横方向に延びている回転軸を中心とした回転または回動がなされる。
【００４１】
この回転の際には、複数のパーツの、２つの補完的に湾曲した案内面が、互いに摺動することができる。
【００４２】
前述のように、各々のパーツは、縁部領域にある斜面をもって、雄ねじに結合された支持面に据えられることが可能である。このことによって、複数のパーツ同士が、これらのパーツの嵌め込みを促進する斜面を有する。これらのパーツは、組立位置に互いに向かって動かされる。この組立位置では、複数の結合要素が、互いに中に把持し、続いて、複数のパーツの更なる動きを案内する。
【００４３】
本発明に係わるナットは、雌ねじの一端の領域で、雌ねじの軸に延びている肩部を有してもよい。この肩部が雌ねじの中央に延びている環状の形状を有することは好ましく、各々のナットパーツに半分ずつ設けられている。径方向内側に突出する肩部は、キャップナットのように、ナットによって雄ねじに固い締め付けられる物体の、例えばブッシングの径方向の段部を取り囲み、固い締付の際に、雄ねじの端壁へ押圧することができる。径方向の肩部は、雌ねじにつながる溝部の壁部によって形成されることができる。通常のねじとは異なって、段部が、内側に突入している肩部に対し接触している前に、固く締め付けられる物体の径方向の段部が、雌ねじの中を押し込まれねばならないことは必要ない。物体の径方向の段部は、複数のナットを嵌め込む際に、溝部に挿入されてもよい。この溝部には、径方向の段部が、僅かな遊びで受け入れられている。この理由から、径方向の段部および溝部またはナットの肩部が丸いことは不要である。これらの構成部材は、丸い形状とは異なった補完的な形状を有し、複数のナットパーツを嵌め込む際に、形状によって互いに嵌め込まれることができる。
【００４４】
最後に、本発明は、上記タイプのナットを取り付けるためのツールに関する。このツールは、ナットの各々のパーツのために、取り付け具を有する。取り付け具は、この取り付け具が複数のパーツの移動運動および回動運動をポジティブに実行するか、少なくともパッシブに可能にするように、駆動手段によって、ジョイント結合手段およびレバー結合手段によって互いに連結されている。取り付け具は、まず、相対的な移動運動を、雌ねじの軸に対し径方向に延びている方向に実行する。続いて、取り付け具は、少なくとも最後の運動段階で、雌ねじの軸に対し横方向に延びている回転軸を中心として回動運動または回転運動を行ない、その後、ナットの複数のパーツが使用状態に達する。この目的のために、取り付け具は、事前設定された運動コースで駆動されており、あるいは、ジョイントによって必要な自由度を有することができる。
【００４５】
ナットを開くために、ツールは、逆方向の運動を実行することができる。ツールは、例えばペンチのように形成されていてもよい。取り付け具は、ペンチの２つのジョーである。取り付け具は、使用状態に達するために必要な回動運動または回転運動が実行されるように、任意の歯車装置を介して、ペンチの２つのレバーによって駆動される。特に、複数の保持要素を有する複数のナットパーツの場合、ツールは、複数の保持要素の保持力が、複数のナットパーツを緩めるために、確実に乗り越えられることを保証する。但し、複数のナットパーツを雄ねじから手動で除去することができないときに限る。
【発明を実施するための最良の形態】
【００４６】
以下、本発明の好都合な実施の形態を、添付した図面を参照して説明する。特に、図示した複数のナットの外郭が、単なる例に過ぎないことをコメントしておく。各々の実施の形態は、任意の外郭をもっておよび四角ナット、六角ナット、蝶ナットまたはキャップナットとして形成されていてもよい。図１−図８は、本発明に係わるナット１００の第１の実施の形態を示す。ナットは、互いに補足的に形成されている２つのパーツ１０１，１０２を有する。図１および図２では、これらのパーツ１０１，１０２は、これらが雄ねじ５０を僅かな遊びで取り囲んでいるように、差し込まれている。ナットのパーツ１０１，１０２のこの位置を、本明細書では、使用状態と呼ぶ。特に図７および図８に示すように、ナットパーツ１０１，１０２は、夫々、雌ねじセクション１０３，１０４を有し、これらの雌ねじセクションは共に雌ねじを形成し、この雌ねじは、ナットパーツ１０１，１０２(図１および図２)の差し込まれた使用状態で、雄ねじ５０を僅かな遊びで取り囲んでいる。
【００４７】
各々の雌ねじセクション１０３，１０４には、１８０°に雌ねじが広がっている。これらの雌ねじセクション１０３，１０４は、図１および図２に示した使用状態でねじ軸を有する面で、互いに分離されている。
【００４８】
図７および図８は、２つのナットパーツ１０１，１０２が、雌ねじの分割面で延びている複数の当接面１０５−１０８を有することを示す。これらの当接面１０５−１０８は、使用状態（図１および図２）で互いに接触している。この使用状態では、雌ねじは閉じられている。雌ねじのねじ溝は、ねじの通常の遊びをもって、雄ねじ５０のねじ溝を取り囲んでいる。
【００４９】
図７および図８には、更に、４つのロッキング・アーム１０９−１１２が認められる。これらのうちの２つのロッキング・アーム１０９，１１０は、第１のナットパーツ１０１に設けられており、当接面１０５，１０６に対し実質的に直交する方向に延びている。２つのロッキング・アーム１１１および１１２は、第２のナットパーツ１０２に設けられており、当接面１０７および１０８に対し実質的に直交する方向に延びている。
【００５０】
ロッキング・アーム１０９−１１２の各々は、ねじの径方向面に延びている案内面１１３−１１６を有する。各々の案内面には、斜めの案内面１１７−１２０が連続している。これらの斜めの案内面１１７−１２０は、夫々同一のナットパーツ１０１，１０２の複数の当接面１０５−１０８に向かい合っている領域で延びている。
【００５１】
第２のナットパーツ１０２は、２つの受入溝１２１，１２２を有する。これら受入溝へは、第１のナットパーツ１０１のロッキング・アーム１０９および１１０が挿入可能である。受入溝１２１，１２２の幅は、実質的に、ロッキング・アーム１０９，１１０の幅に対応している。受入溝１２１，１２２は、同様に、径方向の案内面１２３，１２４および斜めの案内面１２５，１２６を有する。
【００５２】
これに対し、第１のナットパーツ１０１は、外側領域に、受入セクション１２７，１２８を有する。これらの受入セクションへは、使用状態で、第２のナットパーツ１０２の２つのロッキング・アーム１１１，１１２が挿入される。受入セクション１２７，１２８も、夫々、雌ねじの軸に対し径方向に延びている案内面１２９，１３０と、斜めの案内面１３１，１３２とを有する。使用状態では、受入セクション１２７，１２８の斜めの案内面１３１，１３２は、ロッキング・アーム１１１，１１２の斜めの案内面１１９，１２０に接触している。同様に、第２のナットパーツ１０２の受入溝１２１，１２２に設けられた斜めの案内面１２５，１２６は、第１のナットパーツ１０１のロッキング・アーム１０９，１１０の斜めの案内面１１７，１１８に接触している。対応のことが、ロッキング・アーム１０９−１１２の径方向の案内面１１３−１１６にも当てはまる。これらの案内面は、受入溝１２１，１２２および受入セクション１２７，１２８の、夫々に対応の、径方向の案内面１２３，１２４，１２９，１３０に接触している。
【００５３】
図３ないし図６に見られるように、斜めの案内面１１７−１２０，１２５，１２６，１３１，１３２が、重なり合うようにして摺動するのは、２つのナットパーツ１０１，１０２が、使用状態から互いに離される場合である。この場合、２つのナットパーツ１０１，１０２は、ロッキング・アーム１０９−１１２の方向で、引き離される。斜めの案内面が重なり合うようにして摺動することによって、２つのナットパーツ１０１，１０２の、或る軸を中心とした傾動または回転運動が生じる。この軸は、雄ねじ５０の軸に対し径方向に延びており、これらのナットパーツ１０１，１０２の分割面に延びている。分割面は、使用状態で、当接面１０５−１０６によって定められている。
【００５４】
傾動により、２つのナットパーツ１０１，１０２の上面１４１および下面１４２は、平らな面に対して逸れて曲げられる。傾動が妨げられるのは、ナット１００の上面１４１または下面１４２が平らな支持面に接触しているときである。従って、ナットが、使用状態（図１および図２）で、支持面へしっかり螺着されているとき、図３−図６に示した回動運動は、もはや不可能である。ナットは、案内面１１３−１２０，１２３−１２６，１２９−１３２によって閉じられており、雄ねじ５０を、僅かな遊びをもって取り囲んでいる。かくして、ナット１０２は、力を雄ねじ５０の軸方向に伝達するために有用である。
【００５５】
これに対し、ナット１００が、或る支持面から離れているほどに、雄ねじ５０へ締められているとき、ナットを、図１−図６に示されている動きの過程に示すように、ナットを開き、雄ねじ５０から離すことが可能である。逆に、ナットを図６、図４および図２または図５、図３および図１の動きの過程に示すように、ナットパーツ１０１，１０２を結合することによって、雄ねじ５０に取り付けることができる。従って、しっかりとした螺着までの、雄ねじ５０の全長に亘っての、ナット１００の時間のかかる螺着が省略される。更に、ナット１００を、ナットが自由には達しない端部を有する雄ねじ５０に取り付けることもできる。一端からの雄ねじへの螺着が不可能である任意の或るバーのある部分セクションに亘ってしか延びていない雄ねじ５０にさえ、ナットを取り付けることができる。
【００５６】
ロッドのセクションは外側のスレッドに一端のネジで締まることが可能ではないように、伸びる。
【００５７】
図１−図８のナットの使用可能性は、非常に多様である。ナットは、特に、通常のナットの使用のために用いられる。何故ならば、ナットパーツ１０１，１０２の径方向における結合が、かなり長い雄ねじへの螺着に比較して、時間を節約するからである。ロッキング・アーム１０９−１１２に設けられた斜めの案内面１１７−１２０と、受入溝１２１，１２２および受入セクション１２７，１２８に形成された補完的な斜めの案内面１２５，１２６，１３１，１３２とが、ナットパーツ１０１，１０２を、相対移動の際に、回転運動または回動運動にもたらすことによって、ナット１００のパーツ１０１，１０２を、ねじの固い締付の際に、これらのパーツの使用状態で、雄ねじ５０に対し径方向に延びている接触面へしっかりとロックする。
【００５８】
ねじの軸に対し平行に延びている追加の案内面１３３−１４０は、２つのナットパーツ１０１，１０２を、径方向の移動の際に、使用状態へ導き入れる。この場合、第１のナットパーツ１０１の軸に平行な追加の案内面１３３−１３６は、僅かな遊びをもって、第２のナットパーツ１０２の受入溝１２１，１２２に形成された、補完的な軸に平行な案内面１３７−１４０に接触している。図１−図８のナット１００の接触面は、ナットの上面１４１のみならずナットの下面１４２によっても形成されることができる。
【００５９】
図９−図１５は、本発明に係わるナット２００の他の実施の形態を示す。ナット２００は、同様に、２つのナットパーツ２０１，２０２によって構成されている。ナットパーツ２０１は、１８０°に広がっている第１の雌ねじセクション２０３を有する。第２のナットパーツ２０２は、向かい合っている第２の雌ねじセクション２０４を有する。
【００６０】
ナットパーツ２０１，２０２の各々は、２つのロッキング・アーム２０５，２０６および２０７，２０８を有する。この場合、ナットパーツ２０１，２０２夫々の２つのロッキング・アーム２０５，２０６および２０７，２０８は、雌ねじの分割面に対し直角に延びている中央面の両側に延びている。２つのナットパーツ２０１，２０２の２つのロッキング・アーム２０５，２０６および２０７，２０８は、夫々、案内面２０９−２１２を有する。各々のナットパーツ２０１，２０２の２つの案内面２０９，２１０および２１１，２１２は、実質的に逆方向に向いている。かくして、第１のナットパーツ２０１の場合、図１１で中央面の左側に位置している案内面２０９は下方に向いており、中央面の右側に位置している案内面２１０は上方に向いている。これに対応しておよび補足して、ナットパーツ２０２の、図１１で中央面の左側に位置している案内面２１１は、上方に向いており、ナットパーツ２０２の、中央面の右に位置している案内面２１２は、下方に向いている。第２のナットパーツの、中央面の右側に位置しているロッキング・アーム２０８の、下方に向いている案内面２１２は、使用状態で、第１のナットパーツの中央面の右側に位置しているロッキング・アーム２０６の上方に向いている案内面２１０に接触している。これに応じて、中央面の左側にある第２のナットパーツの上方に向いている案内面２１１は、第１のナットパーツ２０１の左のロッキング・アーム２０５の下方に向いている案内面２０９に接触している。
【００６１】
雌ねじ５０から取り外す際に２つのナットパーツ２０１，２０２相互によって実行される回動運動は、図９（これらのナットパーツが雌ねじをきつく取り囲んでなる使用状態）および図１０（僅かに開いた複数のナットパーツ）に認められる。すべての案内面２０９−２１２は、共通のシリンダジャケット面に沿って延びている。シリンダジャケット面は、ねじ軸に対し直角に延びているシリンダ軸を中心として湾曲している。このシリンダ軸は、雌ねじの分割面に位置している。かくして、２つのナットパーツ２０１，２０２は、このシリンダジャケット面に沿った回動によって、結合されまたは分離される。
【００６２】
シリンダジャケット状の案内面２０９−２１２に沿った回動中の、ロッキング・アーム２０５−２０８に平行に延びている軸を中心とした、ナットパーツ２０１，２０２の傾動は、互いに接触している追加の案内面２１３−２１６によって回避される。追加の案内面は、雌ねじの軸に対し平行に延びており、ナットパーツの移動方向に、すなわち雌ねじの分割面に対し垂直に延びている。
【００６３】
シリンダジャケット状に湾曲した案内面２０９−２１２に沿った回動は、他方、使用状態（図９を参照）において、所望に滑らかに形成されたナット２００の上面２１７または下面２１８と区別される。従って、ナット２００の回動および雄ねじ５０からの取外しが阻止されるのは、上面２１７または下面２１８が、雄ねじ５０への固い締付によって、支持面へ押圧されるときである。
【００６４】
ナット２００の、図９−図１５の実施の形態のナットパーツ２０１，２０２の結合の際の動きの過程は、実質的に、図１−図８の実施の形態のナットパーツ１０１，１０２の開閉の際の動きの過程に対応する。これらのナットパーツは、雌ねじの分割面に対し直角に相対移動され、その際に、雌ねじの分割面に延びておりかつねじの軸に直角に延びている回転軸を中心として回動される。
【００６５】
図１２−図１５は、ナット２００の２つのナットパーツ２０１，２０２に設けられている取付補助手段を示す。２つのナットパーツ２０１，２０２の結合の際に、これらのナットパーツは、或る角度だけ回動して押し込められる。ねじセクション２０３，２０４の軸は、雄ねじ５０の軸と共に、同一面上に位置している方がよい。これらのナットパーツのこの位置を保証するために、上面２１７および下面２１８の、移動方向に対し横方向に延びている縁部が、斜面２１９，２２０を有する。これらの斜面２１９，２２０は、ナットパーツ２０１，２０２の位置で互いに平行に延びている。この位置で、案内が、シリンダ状に湾曲した案内面２０９−２１２による回動運動に従って、始まる。ナットパーツ２０１，２０２を結合するために、ナットパーツの斜面２１９または２２０を、隣接した支持面２２1（図１２−図１５）に載置し、２つのナットパーツを互いに向かって押し込むことができる。雄ねじ５０は、ナットパーツ２０１，２０２のための側方の案内要素を形成する。図１２および図１３では、ナットパーツ２０１，２０２は、ナットパーツの下面２１８が支持面２２１によって支持されることが意図されるように取り付けられる。従って、下面２１８の縁部に形成された斜面２２０が、支持面２２１に対しあてがわれる。それ故に、ナットパーツ２０１，２０２の相応の傾斜が得られる。案内面２０９−２１２が載っているシリンダジャケットに沿ってナットパーツ２０１，２０２が回動した後に、２つのナットパーツ２０１，２０２は、支持面２２１付近の使用状態にあって、固く締め付けられればよい。固い締付は、ナットの僅かな回転のみを必要とする。ナットを支持面の非常に近くで組み合わせることも可能である。それ故に、固い締付のためには、一回転より少ない回転が必要である。
【００６６】
図１４および図１５は、逆転した位置にあるナットパーツ２０１，２０２を示す。図９−図１３で上方にある上面２１７は、今や下方にあり、支持面２２１に向かい合っている。これに対応して、図９−図１３で下方にある面２１８は、図１４および図１５では上方にある。これに対応して、斜面２１９は支持面２１２へ押圧され、ナットパーツ２０１，２０２は続いて互いに押し嵌められる。２つの斜面２１９および２２０は、夫々、これらの斜面に隣接する接触面２１７，２１８に対し、回転角度に対応する角度を有する。この回転角度を中心として、ナットのパーツ２０１，２０２が回転されるのは、このパーツが、第１の嵌まり込み（図１２，図１３または図１４，図１５）から使用状態へ動かされるときである。
【００６７】
複数の案内面２０９−２１２のうちの少なくとも１つの案内面の湾曲は、回転運動のシリンダジャケット面の正確な形状と相違していてもよい。例えば、特に、凹面状に湾曲した面が、幾らか険しく湾曲していてもよい。凸面状に湾曲した面は、まさしくシリンダジャケット状であるか、あるいは、幾らか少なく湾曲していてもよい。
【００６８】
シリンダジャケット状の湾曲とのこの相違は、凹面状に湾曲した案内面２１０，２１１を夫々有するロッキング・アーム２０６，２０７が、軸方向圧力の増大の際に、少し曲げ広げられることをもたらす。ナットパーツ２０１，２０２は、一般的に、鋼から、または一定の弾性を有する合金からなる。ロッキング・アーム２０６，２０７の弾性的な曲げ広げ(Aufbiegen)は、実質的に、弾性的な板（Federscheibe）の作用を有する。ナットが螺着されている雄ねじ５０の負荷が変化する際に、ナット２００が即座に緩むのではなくて、ロッキング・アーム２０６，２０７の弾性的な曲げによって、応力が減少される。
【００６９】
図１６−図２２は、ナット３００の他の実施の形態を示す。ナットは、２つの同一のナットパーツ３０１からなる。ナットパーツ３０１は、図２２に拡大して図示されている。ナットパーツは、同様に、雌ねじセクション３０２を有する。雌ねじセクションは、１８０°に広がった雌ねじであり、分割面で分割されている。分割面は、直径上に雌ねじへ延びており、ねじの軸を有する。案内面３０３および３０４は、径方向面に対し斜めに延びている。これらの案内面のコースは、雌ねじの、分割面に対し直角に位置している半径の、その回りにうねっている螺旋面のコースにほぼ等しい。特に図１６−図２１で認められるように、２つのナットパーツ３０１は、分割面に対し直角の方向での押し込みの際に、ねじのように回転される。図１６−図２２のナット３００の実施の形態では、案内面３０３および３０４自体は、湾曲状ではなく、平面状に形成されている。その結果、平らな案内がなされるのではなく、これらのナットパーツ３０１の押し込みまたは押し出しの際に、点状のまたは線状の接触があるのみである。
【００７０】
案内面３０３が、平面で、案内面３０４とは異なる輪郭を有することが認められる。案内面３０３は、鋭角に延びておりかつ鈍角な端面３０７に通じているロッキング・アーム３０５に設けられている。これに対応して、追加の垂直方向の案内面３０９には、斜めの案内面３０３を区画している他の追加の垂直方向の案内面３１０が隣接している。この案内面は、２つのパーツ３０１が嵌め込まれた場合には、ロッキング・アーム３０５の端面３０７に向かい合っている。これに対し、他方の側では、案内面３０６は鋭角の縁部３０８まで延びている。ロッキング・アーム３０６における第２の斜めの案内面３０４に隣接している追加の垂直方向の案内面３１５は、第２のロッキング・アーム３０６の領域で、外面まで鋭角に延びている。
【００７１】
ナットパーツ３０１が、直径上に雌ねじへかつ雌ねじセクション３０２の分割面に延びている軸を中心として回転されるときにのみ、このナットのパーツが、第２のナットパーツ３０１と嵌め込まれることができることが認められる。ねじの軸自体を中心としたナットパーツ３０１の回転は、基本的には、斜めの案内面３０４および３０３の一致をもたらすだろう。しかしながら、このとき、２つのナットパーツ３０１の雌ねじセクション３０２は、もはや互いに適合しないであろう。それ故に、雄ねじ５０への、形状による接触は、もはや得られていないだろう。ナットパーツ３０１の一側での案内面３０３の短縮によって、かくして、ナットパーツ３０１同士の捻れ防止が引き起こされる。これらのナットパーツ３０１は、第２のナットパーツ３０１の、同一に形成された案内面３０３に向かい合っているときにのみ、適合される。
【００７２】
図１６−図２２には、更に、これらのナットパーツ３０１が、四隅の領域に突起部３１１を有することが認められる。ナットの形成のために、ねじの分割面にある水平方向軸を中心として回転されている２つの同一のナットパーツが互いに結合されているので、２つの可能な接触面が、第１のナットパーツの上面３１２（図２２を参照）と、第２のナットパーツの下面３１３とによって形成される。ナット３００が支持面へ螺着されて、接触面が支持面に接触しているとき、これらの突起部３１１が、複数のナットパーツ３０１の僅かな弾性的な撓みを引き起こす。同様に、雄ねじ５０に設けられているナット３００を支持面へ螺着させる際に、スプリング・ワッシャの作用が引き起こされる。
【００７３】
図２２は、更に、ねじセクション３０２に対し平行に、軸方向の孔３１４が、ナットパーツ３０１を通って延びていることを示す。軸方向の孔３１４へは、ペンチ状のツールのピンを差し込むことができる。このツールは、２つのナットパーツ３０１を結合および解除するために用いられる。
【００７４】
最後に、図２２は、雌ねじセクション３０２の周方向右側に位置している端部領域３１６が、ねじ溝の領域における複数の除去部分を有する。ねじ溝の内径が、この端部領域で拡大して、分割面の隣接する領域へと延びている。分割面では、雌ねじセクション３０２の右側の端部領域３１６におけるねじ溝が、雌ねじセクション３０２の左側の開始領域におけるよりも半分より少ない高さを有する。ねじ溝のこの除去は、ナット３００を雄ねじ５０に取り付ける際に、端部領域３１６におけるねじ溝が、雄ねじ５０のねじ溝とぶつかり、このことによって、使用状態へのナットパーツ３０１の回転が阻止されるだろうことを回避する。更に、端部領域３１６におけるねじ溝の先細り化は、ナットパーツ３０１のねじ溝のねじ切り作用を促進する。ナット３００を雄ねじなしにプラスチック・ケーブルまたはプラスチックピンに取り付ける際におよびナット３００を回して締める際に、ナットパーツのねじ溝が、まず、端部領域３１６に先端と、次にますます奥深く、プラスチック材料部分に入り込み、かくして、螺着の際に雄ねじを形成する。
【００７５】
図２３−図２８は、本発明に係わるナット４００の他の実施の形態を示す。この場合、図２４は、図２３のナット４００の、後方左側から見た側面図に対応する。これに対応して、図２６および図２８は、図２５および図２７のナット４００のナットパーツ４０１の、後方左側から見た側面図である。
【００７６】
２つのナットパーツ４０１は、同様に同一である。図２３−図２８の実施の形態では、案内面４０３および４０４は、螺旋面に延びている。この螺旋面は、直径上に雌ねじへ延びている軸を中心として僅かな度（約５−１０°のねじれ角）だけ螺旋になっている。この軸は、雌ねじセクション４０２の分割面に対し垂直である。図２３−図２８の実施の形態のナットパーツ４０１も、ねじれ防止手段を有する。かくして、一側における螺旋状の案内面４０３には、三角形の当接面４０８を有する尖端部４０７が続いている。これに対応して、案内面４０３があってなるロッキング・アーム４０５は、このロッキング・アーム４０５の前方の隅の領域に三角形の斜面を有する。この斜面は、尖端部４０７の当接面４０８に接触している。
【００７７】
ペンチ状の結合ツールのピンを受け入れるための孔４１０は、ここでは、実質的に、２つのナットパーツ４０１の移動方向に延びている。孔４１０の軸は、雄ねじ５０の直径または各々の雌ねじセクション４０２の半径上にある。この直径は、雌ねじセクション４０２の分割面に対し直角に延びている。軸は、ナットパーツ同士を填め込む際に、移動方向および回転運動のための回転軸に一致している。従って、ナットパーツ４０１は、孔４１０の軸を中心として回転することができる。それ故に、ツール自体のピンが回転自在に形成されている必要はない。
【００７８】
図２９−図３１は、図２３−図２８の実施の形態に非常に似ている、ナット５００の実施の形態を示す。ナットのナットパーツ５０１は、ねじれ防止のための尖端部４０７および斜面４０９を除いて、およびツールのピンを受け入れるための孔４０１を除いて、実質的に、ナット４００のナットパーツ４０１に、対応している。他の相違は、ナット５００が六角形に形成されていてもよいことにある。六角形の形状は、図２３−図２８の四角形のナット４００の角を対称的に切り取ることによって得られた。新たなナット５００は、６０°のねじ山角度を有する。案内面５０３および５０４が、雌ねじセクション５０２の分割面に対し直角に延びている軸を中心として、螺旋状にうねっていることが認められる。
【００７９】
図３２は、本発明に係わるナットの実施の形態のナットパーツ６０１を示す。このナットパーツは、ナットパーツ５０１と同一の輪郭を有するが、凸面状におよび凹面状に湾曲した案内面を有する。ナットパーツ６０１は、雌ねじ６０２の下端の領域に、溝部６０３を有する。溝部の下方の壁部は、雌ねじの軸に延びている肩部６０４を形成する。この半分の環状の溝６０３へは、帽子状のブッシング６０６の環状のカラー６０５の半体を挿入することができる。カラー６０５の第２の半分を、補完的なナットパーツ（図示せず）の対応の溝部に挿入することができる。肩部６０４は、ブッシング６０６のカラー６０５を、雄ねじ（図示せず）の端壁へ押圧する。雄ねじへは、ナットパーツ６０１の雌ねじが螺着される。２つのナットパーツ６０１からなるナットは、例えばキャップナットとして用いることができる。この場合、溝部は、円形の形状と異なっていてもよく、補完的に形成されたカラーを回転しないようにかつ形状的に合うように受け入れることができる。
【００８０】
図３３および図３４は、複数の保持要素を有するナット７００を示す。これらの保持要素は、２つのナットパーツ７０１および７０２を、部分的に嵌め込まれた位置（図３３を比較せよ）で、互いに接して取り付ける。ナットパーツ７０１，７０２は、夫々、凹面状に湾曲した案内面７０５を有するロッキング・アーム７０７と、凸面状に湾曲した案内面７０３を有するロッキング・アーム７０８とを具備する。凸面状に湾曲した案内面７０３は、ロッキング・アーム７０８の長手方向に対し横方向に延びている２つの窪み７０４を有する。これらの窪み７０４は、数μｍしか深くなく、丸みを有する。各々の窪みは、案内面７０３の一端から、ほぼ、案内面７０３の長さの３分の１に対応する間隔をあけて、位置している。
【００８１】
これに対し、凸面状の案内面７０３に向かい合っておりかつ凹面状に湾曲した案内面７０５は、同一位置に、突起部７０６を有する。これらの突起部７０６は、案内面７０５に対し横方向に延びておりかつ数μｍの高さを有する平らなビードとして形成されている。
【００８２】
ナットパーツ７０１および７０２が完全に押し込められており、雌ねじを僅かな遊びで包み込むとき、突起部７０６が窪み７０４に入り込んで、かくして、２つのナットパーツを共にロックする。ロッキング・アーム７０７，７０８が、互いにほぼ半分まで覆うまでに、ナットパーツ７０１，７０２はこの位置から互いに向けて押されるとき、凹面状の案内面７０５に形成されたただ１つの突起部７０６が、向かい合っている凸面状の案内面７０３の窪み７０４に入り込む。双方が互いに入り込むとき、複数の窪み７０４および複数の突起部７０６が、ナットパーツ７０１，７０２を互いに接して取り付ける保持要素を形成する。このことは、完全に嵌め込まれた位置で、および図３３で認められる部分的に嵌め込まれた位置で、当てはまる。取付またはロックは、ナットパーツ７０１，７０２が、取り外される危険性なしに、部分的に嵌め込まれた状態で引き渡すことができるという利点を有する。閉じた状態では、保持要素７０４，７０６は、同様に、追加の保持力を引き起こす。複数の窪み７０４および複数の突起部７０６の高さが僅かであるので、ナットパーツ７０１，７０２は、移動が複数の窪み７０４および複数の突起部７０６により妨げられることなく、手動で、相対移動される。これらの突起部は、好ましくは金属からなるロッキング・アーム７０７，７０８の弾性変形によって撓むことができる。
【図面の簡単な説明】
【００８３】
【図１】使用状態で雄ねじに取り付けられている、本発明に係わるナットの、その第１の実施の形態の斜視図を示す。
【図２】図１のナットの側面図を示す。
【図３】開いた状態にある図１のナットの斜視図を示す。
【図４】図３の例の側面図を示す。
【図５】更に開いた状態にある図１および図３のナットの斜視図を示す。
【図６】図５のナットの側面図を示す。
【図７】図１−図６のナットの第１のパーツの斜視図を示す。
【図８】図１−図６のナットの第２のパーツの斜視図を示す。
【図９】使用状態で雄ねじに取り付けられている、本発明に係わるナットの、その第２の実施の形態の斜視図を示す。
【図１０】僅かに開いた状態にある図９のナットの斜視図を示す。
【図１１】図９および１０のナットの２つの個別パーツの斜視図を示す。
【図１２】雄ねじに取り付ける最中の、図９−図１１のナットのパーツの斜視図を示す。
【図１３】図１２のナットの側面図を示す。
【図１４】ナットの複数のパーツが回転されていてなる、図１２に対応する図を示す。
【図１５】図１４の例の側面図を示す。
【図１６】ナットの他の実施の形態の、図１に対応する順番の図を示す。
【図１７】ナットの他の実施の形態の、図２に対応する順番の図を示す。
【図１８】ナットの他の実施の形態の、図３に対応する順番の図を示す。
【図１９】ナットの他の実施の形態の、図４に対応する順番の図を示す。
【図２０】ナットの他の実施の形態の、図５に対応する順番の図を示す。
【図２１】ナットの他の実施の形態の、図６に対応する順番の図を示す。
【図２２】図１６−図２１のナットの２つの同一のパーツのうちの１つのパーツの斜視図を示す。
【図２３】本発明に係わるナットの他の実施の形態の、図１に対応する順番の図を示す。
【図２４】本発明に係わるナットの他の実施の形態の、図２に対応する順番の図を示す。
【図２５】本発明に係わるナットの他の実施の形態の、図３に対応する順番の図を示す。
【図２６】本発明に係わるナットの他の実施の形態の、図４に対応する順番の図を示す。
【図２７】本発明に係わるナットの他の実施の形態の、図５に対応する順番の図を示す。
【図２８】本発明に係わるナットの他の実施の形態の、図６に対応する順番の図を示す。
【図２９】本発明に係わるナットの他の実施の形態の斜視図を示す。
【図３０】図２９のナットの２つのパーツの斜視分解図を示す。
【図３１】図２９および図３０のナットの複数のパーツのうちの１つのパーツの平面図を示す。
【図３２】キャップナットを形成するためのナットの１つのパーツを斜視図で示す。
【図３３】部分的に嵌め込まれた状態にある、複数の保持要素をナットの、その斜視図を示す。
【図３４】複数の保持要素を有するナットの２つのパーツを示す。
【符号の説明】
【００８４】
５０  雄ねじ
１００  ナット
１０１  第１のナットパーツ
１０２  第２のナットパーツ
１０３  雌ねじセクション
１０４  雌ねじセクション
１０５  当接面
１０６  当接面
１０７  当接面
１０８  当接面
１０９  ロッキング・アーム
１１０  ロッキング・アーム
１１１  ロッキング・アーム
１１２  ロッキング・アーム
１１３  径方向の案内面
１１４  径方向の案内面
１１５  径方向の案内面
１１６  径方向の案内面
１１７  径方向の案内面
１１８  径方向の案内面
１１９  径方向の案内面
１２０  径方向の案内面
１２１  受入溝
１２２  受入溝
１２３  径方向の案内面
１２４  径方向の案内面
１２５  径方向の案内面
１２６  径方向の案内面
１２７  受入セクション
１２８  受入セクション
１２９  径方向の案内面
１３０  径方向の案内面
１３１  径方向の案内面
１３２  径方向の案内面
１３３  軸に平行な案内面
１３４  軸に平行な案内面
１３５  軸に平行な案内面
１３６  軸に平行な案内面
１３７  軸に平行な案内面
１３８  軸に平行な案内面
１３９  軸に平行な案内面
１４０  軸に平行な案内面
１４１  上面、接触面
１４２  下面、接触面
２００  ナット
２０１  第１のナットパーツ
２０２  第２のナットパーツ
２０３  雌ねじセクション
２０４  雌ねじセクション
２０５  ロッキング・アーム
２０６  ロッキング・アーム
２０７  ロッキング・アーム
２０８  ロッキング・アーム
２０９  湾曲した案内面
２１０  湾曲した案内面
２１１  湾曲した案内面
２１２  湾曲した案内面
２１３  軸に平行な案内面
２１４  軸に平行な案内面
２１５  軸に平行な案内面
２１６  軸に平行な案内面
２１７  上面、接触面
２１８  下面、接触面
２１９  斜面
２２０  斜面
２２１  支持面
３００  ナット
３０１  ナットパーツ
３０２  雌ねじセクション
３０３  斜めの案内面
３０４  斜めの案内面
３０５  ロッキング・アーム
３０６  ロッキング・アーム
３０７  端面
３０８  縁部
３０９  垂直方向の案内面
３１０  垂直方向の案内面
３１１  突起部
３１２  上面
３１３  下面
３１４  孔
３１５  垂直方向の案内面
３１６  雌ねじセクションの端部領域
４００  ナット
４０１  ナットパーツ
４０２  雌ねじセクション
４０３  螺旋状の案内面
４０４  螺旋状の案内面
４０５  ロッキング・アーム
４０６  ロッキング・アーム
４０７  尖端部
４０８  当接面
４０９  斜面
４１０  孔
５００  ナット
５０１  ナットパーツ
５０２  雌ねじセクション
５０３  螺旋状の案内面
５０４  螺旋状の案内面
５０５  ロッキング・アーム
５０６  ロッキング・アーム
６０１  第１のナットパーツ
６０２  雌ねじ
６０３  環状溝
６０４  肩部
６０５  カラー
６０６  ブッシング
７００  ナット
７０１  ナットパーツ
７０２  ナットパーツ
７０３  凸面状の案内面
７０４  保持要素、窪み
７０５  凹面状の案内面
７０６  保持要素、突起部
７０７  ロッキング・アーム
７０８  ロッキング・アーム
【図１】
2009526182.tif 000003
【図２】
2009526182.tif 000004
【図３】
2009526182.tif 000005
【図４】
2009526182.tif 000006
【図５】
2009526182.tif 000007
【図６】
2009526182.tif 000008
【図７】
2009526182.tif 000009
【図８】
2009526182.tif 000010
【図９】
2009526182.tif 000011
【図１０】
2009526182.tif 000012
【図１１】
2009526182.tif 000013
【図１２】
2009526182.tif 000014
【図１３】
2009526182.tif 000015
【図１４】
2009526182.tif 000016
【図１５】
2009526182.tif 000017
【図１６】
2009526182.tif 000018
【図１７】
2009526182.tif 000019
【図１８】
2009526182.tif 000020
【図１９】
2009526182.tif 000021
【図２０】
2009526182.tif 000022
【図２１】
2009526182.tif 000023
【図２２】
2009526182.tif 000024
【図２３】
2009526182.tif 000025
【図２４】
2009526182.tif 000026
【図２５】
2009526182.tif 000027
【図２６】
2009526182.tif 000028
【図２７】
2009526182.tif 000029
【図２８】
2009526182.tif 000030
【図２９】
2009526182.tif 000031
【図３０】
2009526182.tif 000032
【図３１】
2009526182.tif 000033
【図３２】
2009526182.tif 000034
【図３３】
2009526182.tif 000035
【図３４】
2009526182.tif 000036
【国際調査報告】
2009526182.tif 000037
2009526182.tif 000038
2009526182.tif 000039
2009526182.tif 000040
2009526182.tif 000041
2009526182.tif 000042